(57)【要約】【課題】コネクタ本体を同軸ケーブルの先端に装着した後、固着リングを介して同軸ケーブルをコネクタ本体に圧着固定するよう構成された同軸ケーブルコネクタにおいて、その圧着作業をより簡単にできるようにする。【解決手段】同軸ケーブルコネクタは、同軸ケーブルの編組導体の内側に挿入可能な挿入部１２、この挿入部１２の周囲に設けられた鍔部１４、及び、挿入部１２の同軸ケーブル側とは反対側に回動自在に設けられたナット部１６からなるコネクタ本体１０と、コネクタ本体１０とは別体で構成され、コネクタ本体１０の挿入部１２を同軸ケーブルに挿入した後同軸ケーブルをコネクタ本体１０に圧着固定するための固着リング２０と、から構成されており、固着リング２０は、環状突起２６を介して、コネクタ本体１０の鍔部１４に固定されている。【選択図】図１
2008034403.tif 000002
【特許請求の範囲】
【請求項１】
同軸ケーブルの芯線周囲の絶縁部材と該絶縁部材周囲の編組導体との間に挿入可能な筒状の挿入部、該挿入部の周囲に設けられ、前記挿入部を前記同軸ケーブルに挿入した際、前記同軸ケーブルの編組導体及び該編組導体周囲の被覆部材が当接されて、前記同軸ケーブルに対して前記挿入部を位置決めする鍔部、及び、前記挿入部の前記同軸ケーブル側とは反対側に回動自在に設けられ、接続対象の外部導体に螺合可能なナット部、を備えたコネクタ本体と、
該コネクタ本体とは別体に形成され、該コネクタ本体の挿入部を前記同軸ケーブルに挿入した後、前記同軸ケーブルの周囲から前記同軸ケーブルを前記挿入部に圧着固定するための固着リングと、
を備えた同軸ケーブルコネクタであって、
前記コネクタ本体の鍔部に前記固着リングが固定されていることを特徴とする同軸ケーブルコネクタ。
【発明の詳細な説明】
【技術分野】
【０００１】
本発明は、同軸ケーブルの端部に装着されて同軸ケーブルを接栓に接続するための同軸ケーブルコネクタに関する。
【背景技術】
【０００２】
従来より、この種の同軸ケーブルコネクタとしては、図６（ａ）に示すように、同軸ケーブル２の芯線４の周囲の絶縁部材６とこの絶縁部材６の周囲の編組導体８との間に挿入可能な筒状の挿入部１２、この挿入部１２の周囲に設けられて同軸ケーブルを位置決めするための鍔部１４、挿入部１２の同軸ケーブル側とは反対側に回動自在に設けられ、接続対象となる接栓等の外部導体に螺合可能なナット部１６、等からなるコネクタ本体１０と、コネクタ本体１０の挿入部１２を同軸ケーブル２の編組導体８の内側に挿入した後、前記同軸ケーブル２の外側から同軸ケーブル２をコネクタ本体１０の挿入部１２に圧着固定するための固着リング２０と、から構成されたものが知られている（例えば、特許文献１、２等参照）。
【０００３】
この種の同軸ケーブルコネクタを同軸ケーブル２に装着する際には、まず、同軸ケーブル２の先端から所定長さＬａ分だけ編組導体８の周囲の被覆部材９を除去して、編組導体８を被覆部材９の端縁に沿って後方に折り返し、次に、その編組導体８の内側の絶縁部材６が所定長さＬｂ分だけ先端側に突出するように絶縁部材６を切断することで、芯線４を所定長さＬｃ分だけ露出させる、といった手順で同軸ケーブル２の先端を加工する。
【０００４】
そして、同軸ケーブル２の加工後、同軸ケーブルコネクタは、図６（ｂ）に示すように、同軸ケーブル２に固着リング２０を挿通した後、挿入部１２に絶縁部材６を通すようにしてコネクタ本体１０を同軸ケーブル２の先端側から差し込み、その後、図６（ｃ）に示すように、固着リング２０を同軸ケーブル２の先端側に移動させて、挿入部１２の周囲に配置し、固着リング２０に突設された一対の圧着用突起２２、２４をペンチ等で圧着する（図６（ｄ）、（ｅ）参照）、といった手順で、同軸ケーブル２に固定される。
【特許文献１】特開平１１−１６７９６３号公報
【特許文献２】特開２００５−１０８５６６号公報
【発明の開示】
【発明が解決しようとする課題】
【０００５】
ところで、上記のように同軸ケーブルコネクタを同軸ケーブル２に装着する際に編組導体８を被覆部材９の端縁側から折り返すのは、コネクタ本体１０の挿入部１２を同軸ケーブル２の絶縁部材と編組導体８との間に挿入し易くし、しかも、編組導体８を挿入部１２（延いてはコネクタ本体１０）と確実に接続するためであるが、上記のように編組導体８を折り返すと、固着リング２０で同軸ケーブル２を圧着固定する際に、図６（ｃ）に示すように、編組導体８を固着リング２０の内側に入れる必要があり、圧着作業が面倒になるという問題があった。
【０００６】
つまり、編組導体８は、折り返し作業の際にバラバラになり、その先端が同軸ケーブル周囲に浮き上がることから、圧着作業の際に、固着リング２０の内側に編組導体を入れることは難しく、圧着作業が面倒になるのである。
【０００７】
なお、圧着作業の際に、固着リング２０の内側に編組導体を入れる必要があるのは、返送導体を固着リング２０の内側に入れないと、単に見栄えが悪くなるだけでなく、編組導体が他の配線や電気部品に接触して、不具合が発生することがあるためである。
【０００８】
また，突出した編組導体を切断することも考えられるが，切断作業が面倒であった。つまり，上記のような問題（編組導体が他の配線や電気部品に接触する）を防止するためには編組の根元で切断する必要があり，作業者の注意力が必要でありそのため切断作業に時間がかかってしまう。
【０００９】
本発明は、こうした問題に鑑みなされたもので、コネクタ本体を同軸ケーブルの先端に装着した後、固着リングを介して同軸ケーブルをコネクタ本体に圧着固定するよう構成された同軸ケーブルコネクタにおいて、その圧着作業をより簡単にできるようにすることを目的とする。
【課題を解決するための手段】
【００１０】
かかる目的を達成するためになされた請求項１に記載の発明は、
同軸ケーブルの芯線周囲の絶縁部材と該絶縁部材周囲の編組導体との間に挿入可能な筒状の挿入部、該挿入部の周囲に設けられ、前記挿入部を前記同軸ケーブルに挿入した際、前記同軸ケーブルの編組導体及び該編組導体周囲の被覆部材が当接されて、前記同軸ケーブルに対して前記挿入部を位置決めする鍔部、及び、前記挿入部の前記同軸ケーブル側とは反対側に回動自在に設けられ、接続対象の外部導体に螺合可能なナット部、を備えたコネクタ本体と、
該コネクタ本体とは別体に形成され、該コネクタ本体の挿入部を前記同軸ケーブルに挿入した後、前記同軸ケーブルの周囲から前記同軸ケーブルを前記挿入部に圧着固定するための固着リングと、
を備えた同軸ケーブルコネクタであって、
前記コネクタ本体の鍔部に前記固着リングが固定されていることを特徴とする。
【発明の効果】
【００１１】
請求項１に記載の同軸ケーブルコネクタにおいては、図６に示した従来のものと同様、コネクタ本体と、コネクタ本体とは別体に形成された固着リングとから構成されているが、固着リングは、コネクタ本体の鍔部に固定されている。
【００１２】
このため、本発明の同軸ケーブルコネクタを同軸ケーブルの先端に装着する際には、同軸ケーブルの先端を従来と同様に加工した後、コネクタ本体の鍔部に固着リングが固定された状態で、コネクタ本体の挿入部に同軸ケーブルの絶縁部材を通すようにコネクタ本体を同軸ケーブルの先端側から差し込むようにすれば、同軸ケーブルの先端側から後方に向けて折り返された編組導体を固着リングの中に自動的に収納されることになる。
【００１３】
よって本発明の同軸ケーブルコネクタによれば、固着リングにて同軸ケーブルをコネクタ本体の挿入部に圧着固定する際、従来のように、固着リングの内側に編組導体が入るように固着リングを移動させる必要はなく、コネクタ本体を同軸ケーブルの先端に装着した後、コネクタ本体に固定された固着リングをペンチ等で圧着するだけで、同軸ケーブルコネクタを同軸ケーブルの先端に見栄えよく固定することができる。従って、本発明によれば、その圧着作業を極めて簡単に行うことができる。
【発明を実施するための最良の形態】
【００１４】
以下に本発明の実施形態について説明する。
図１は本発明が適用された実施形態の同軸ケーブルコネクタ（以下、単にコネクタとも言う）の構成を表す一部破断側面図であり、図２はそのコネクタを構成する固着リングの外観を表す説明図である。なお、図１において、コネクタの中心軸に沿った一点鎖線よりも上方部分は、コネクタの断面を表し、一点鎖線よりも下方部分はコネクタの外観を表している。また、図２において、（ａ）は固着リングの側面図であり、（ｂ）は（ａ）に示す固着リングを右方向から見た端面図である。
【００１５】
本実施形態のコネクタは、Ｆ型接栓等の接続対象物に同軸ケーブルを接続するためのものであり、図１に示すように、図６に示した従来のコネクタと同様、コネクタ本体１０と、固着リング２０とから構成されている。
【００１６】
コネクタ本体１０は、図６に示した従来のコネクタと同様、同軸ケーブルの芯線周囲の絶縁部材と編組導体との間に挿入可能な筒状の挿入部１２と、この挿入部１２の周囲に設けられて同軸ケーブルを位置決めするための鍔部１４と、挿入部１２の同軸ケーブル側とは反対側に回動自在に設けられ接続対象の外部導体に螺合可能なナット部１６とから構成されている。
【００１７】
また、挿入部１２と鍔部１４とは一体成形されており、コネクタ本体１０は、挿入部１２の同軸ケーブルへの挿入側とは反対側をナット部１６の後端の孔に挿入し、挿入部１２の開口端縁を外向きに加締めることにより、ナット部１６の後端部をその加締部１３と鍔部１４との間に回動可能に固定する、といった手順で組み立てられている。
【００１８】
また、鍔部１４のナット部１６とは反対側の面には、従来のコネクタと同様、コネクタ本体１０を同軸ケーブルの先端に装着した際に同軸ケーブルの端部を囲むことができるように、鍔部１４の外周縁に沿って突設された環状のスカート部１８が設けられている。
【００１９】
一方、固着リング２０は、図６に示した従来のコネクタと同様、円環状のリングの外周面に一対の圧着用突起２２、２４を突設したものであるが、本実施形態では、更に、固着リング２０の２つの開口の内、一方の開口の端面に、固着リング２０の板厚よりも薄い（例えば、０．１ｍｍ）環状の突起（環状突起）２６が突設されている。なお、この環状突起２６は、外周面側で固着リング２０の本体側と段差ができるように、固着リング２０の内周面に沿って形成されている。
【００２０】
この環状突起２６は、コネクタ本体１０のスカート部１８の内周面に嵌合して、固着リング２０をコネクタ本体１０に固定するためのものであり、環状突起２６の外径は、スカート部１８の内周面に嵌合できるように、スカート部１８の内径と略同じで若干小さい径に設定されている。
【００２１】
このように構成された本実施形態のコネクタを同軸ケーブルの先端に装着する際には、図３（ａ）に示すように、まず、コネクタ本体１０のスカート部１８に固着リング２０の環状突起２６を嵌合させることによって、固着リング２０をコネクタ本体１０に固定する。
【００２２】
また、同軸ケーブル２の先端は、図３（ｂ）に示すように、図６に示した従来と同様の手順で加工することで、コネクタ本体１０の挿入部１２を絶縁部材６と編組導体８との間に挿入し易くしておき、その後、コネクタ本体１０の挿入部１２に同軸ケーブル２の絶縁部材６を通すように、固着リング２０を鍔部１４に固定したまま、コネクタ本体１０をケーブルの先端側から差し込む。
【００２３】
この結果、図３（ｃ）に示すように、同軸ケーブル２の先端側から後方に向けて折り返された編組導体８は、固着リング２０の内側に自動で収納されることになり、その後、従来と同様に、固着リング２０の圧着用突起２２、２４をペンチ等で圧着すれば、コネクタを同軸ケーブル２の先端に見栄えよく固定することができるようになる。
【００２４】
従って、本実施形態のコネクタによれば、その圧着作業、延いては、同軸ケーブル２への装着作業を、従来のものに比べて極めて簡単に行うことが可能となる。
以上、本発明の一実施形態について説明したが、本発明は、上記実施形態に限定されるものではなく、本発明の要旨を逸脱しない範囲内にて種々の態様を採ることができる。
【００２５】
例えば、上記実施形態では、固着リング２０の一方の開口端面には、コネクタ本体１０のスカート部１８の内周面に嵌合可能な環状突起２６を突設するものとして説明したが、例えば、図４（ａ−１）、（ｂ−１）に示す如く、固着リング２０の一方の開口端面には、複数（図では３個）の突起２７を、コネクタ本体１０のスカート部１８の内周面に嵌合可能に配置するようにしても、上記実施形態と同様の効果を得ることができる。
【００２６】
またこのように複数の突起２７を鍔部１４に突設する場合、その大きさや個数は、固着リング２０を固定できるように、固着リング２０の大きさや重量に応じて適宜設定すればよいが、例えば、図４（ａ−２）、（ｂ−２）に示す如く、固着リング２０自体を楕円形状とし、その楕円の小径部分両端側に一対の突起２７を突設するようにすれば、切削加工により突起２７を簡単に形成することができるようになる。
【００２７】
つまり、上記実施形態のように、固着リング２０を円環状にして、一方の開口端面に環状突起２６を突設する際には、環状突起２６を切削加工によって比較的簡単に形成することができるが、円環状の固着リング２０の開口端面に切削加工で複数の突起２７を形成するには、切削工程が複雑になるため、固着リング２０のコストアップを招くことになる。しかし、固着リング２０を楕円形状とすれば、固着リング２０の一方の開口端側を、固着リング２０と同心円上に配置した切削工具で切削するだけで、楕円の小径部分両端側に一対の突起２７を簡単に形成することができるようになり、スカート部１８への嵌合用の突起２７を備えた固着リング２０を低コストで実現することができるようになる。
【００２８】
なお、図４（ａ−１）、（ｂ−１）、及び、図４（ａ−２）、（ｂ−２）は、複数の突起２７を備えた固着リング２０の構成例を表す説明図であり、（ａ−１）、（ａ−２）は固着リング２０の側面図、（ｂ−１）、（ｂ−２）は、（ａ−１）、（ａ−２）に示す固着リングを右方向から見た端面図である。
【００２９】
また次に、上記実施形態では、コネクタ本体１０は、挿入部１２と鍔部１４とを一体成形したものにナット部１６を加締め固定することにより作製されるものとして説明したが、図４（ｃ）に示すように、コネクタ本体１０は、挿入部１２、鍔部１４、ナット部１６を各々別体で構成し、挿入部１２をナット部１６を挟んでスカート部１８に圧入することにより組み立てられるタイプのものであってもよい。
【００３０】
一方、上記実施形態では、固着リング２０には、コネクタ本体１０のスカート部１８の内側に嵌合可能な環状突起２６（或いは突起２７）を設けるものとして説明したが、図５に示すように、固着リング２０の一方の開口端側の径を大きくすることで、固着リング２０を、コネクタ本体１０の鍔部１４の外側に直接嵌合できるように構成してもよい。
【００３１】
そして、このようにすれば、コネクタ本体１０の鍔部１４にスカート部１８が形成されていなくても、固着リング２０をコネクタ本体１０に固定することができるようになる。
但し、このように固着リング２０の一方の開口端側の径を大きくすることによりコネクタ本体１０への固定部３０を構成した場合には、図５に示すように、固着リング２０をコネクタ本体１０の鍔部１４に固定した状態で、固着リング２０において固定部３０よりも小径な部分（つまり圧着部２８）をペンチ等で簡単に圧着できるようにするために、固着リング２０には、固定部３０と圧着部２８とを分離するための切欠部３２を形成する必要はある。
【００３２】
また、図５に示すように、コネクタ本体１０のナット部１６の外周面にローレットを形成するようにすれば、ナット部１６を回動操作する際に生じる滑りを防止することができ、使用者は、ナット部１６の接栓等への着脱作業を、指先でも、或いは、スパナ等の工具を使ってでも、簡単に行うことができるようになる。但し、図５に示すナット部１６は、ローレットをナット部１６の中心軸に沿って形成したものを表しているが、これは、ナット部１６を金型で成型し易くするためであり、後加工でローレットを形成する場合には、クロス線状に形成してもよい。
【００３３】
なお、図５は、コネクタ本体１０の鍔部１４の外側に固着リング２０を装着するように構成された同軸ケーブルコネクタの構成を表す説明図であり、（ａ）はそのコネクタの一部破断側面図であり、（ｂ）はそのコネクタを同軸ケーブル２の先端に固定した状態を表す側面図である。
【図面の簡単な説明】
【００３４】
【図１】実施形態の同軸ケーブルコネクタの構成を表す一部破断側面図である。
【図２】固着リングの外観を表す説明図である。
【図３】実施形態の同軸ケーブルコネクタの同軸ケーブルへの装着手順を説明する説明図である。
【図４】固着リング及びコネクタ本体の他の構成例を表す説明図である。
【図５】コネクタ本体の鍔部の外側に固着リングを装着するように構成された同軸ケーブルコネクタの構成を表す説明図である。
【図６】従来の同軸ケーブルコネクタの構成及び同軸ケーブルへの装着手順を説明する説明図である。
【符号の説明】
【００３５】
２…同軸ケーブル、４…芯線、６…絶縁部材、８…編組導体、９…被覆部材、１０…コネクタ本体、１２…挿入部、１３…加締部、１４…鍔部、１６…ナット部、１８…スカート部、２０…固着リング、２２，２４…圧着用突起、２６…環状突起、２７…突起、２８…圧着部、３０…固定部、３２…切欠部。
【図１】
2008034403.tif 000003
【図２】
2008034403.tif 000004
【図３】
2008034403.tif 000005
【図４】
2008034403.tif 000006
【図５】
2008034403.tif 000007
【図６】
2008034403.tif 000008